(57)【要約】【課題】天井点検口の外枠及びと内枠の下縁の幅がいずれも細く形成され、内枠と外枠の間に目透かし状の目地を現出する天井点検口において、目地間隙を正確に保持するために構造が簡単で製造が容易な位置決め手段を備えた天井点検口を提供すること。【解決手段】平面の一方向には外枠部材３の内側面に突設した球面状突起１４が内枠部材５の外側面に当接することにより、両者間に所定の目地が形成され、他方向には外枠部材に取付けられた回転軸７を内枠部材の溝孔８の内側端部１５に当接させることによって一方の外枠部材と内枠部材との目地を確保するとともに、他方の外枠部材には対向する内枠部材を押圧する押圧部材を介在させて目地を確保するものである。【選択図】図１
2007120234.tif 000002
【特許請求の範囲】
【請求項１】
４本の外枠部材を方形状に枠組みした外枠内に、４本の内枠部材を方形状に枠組した内枠が閉扉時に周囲に所定の目地間隙を空けて配置される天井点検口において、対向する一組の該外枠部材からそれぞれ内方に突設した回転軸が対向する一組の該内枠部材それぞれの側面に穿孔した長さ方向に延びる各溝孔に遊嵌され、該外枠及び該内枠の下縁がいずれも細く形成される天井点検口において、該回転軸が突設した該対向する一組の外枠部材それぞれの内側面には、閉扉時に該対向する一組の内枠部材それぞれの外側面に当接する球面状突起が突設されることにより、閉扉時に該対向する一組の外枠部材と該対向する一組の内枠部材とに所定の目地間隙が空けられると共に、対向する他組の該外枠部材において該回転軸に近い他組一方の該外枠部材が、閉扉時に対向する他組の該内枠部材における他組一方の該内枠部材に対して所定の目地間隙を空ける位置となったときに、それぞれの該回転軸がそれぞれの該溝孔の内側端部に当接するように相互の位置が設定され、また該対向する他組の外枠部材において該回転軸から離れた他組他方の該外枠部材には、対向する他組他方の該内枠部材の外側面に対して閉扉時に押圧する押圧部材が取着され、該押圧部材の押圧によって該他組他方の外枠部材と該他組他方の内枠部材に対して所定の目地間隙が空けられることを特徴とする天井点検口。
【請求項２】
前記外枠部材及び前記内枠部材それぞれの縦断面下方にはそれぞれ厚さの薄い外枠部材側板部及び厚さの薄い内枠部材側板部を有し、該内枠部材側板部に当接される前記球面状突起は該外枠部材側板部に絞り加工で突設されことを特徴とする請求項１記載の天井点検口。
【請求項３】
前記押圧部材は、前記他組他方の外枠部材の縦断面上方の側壁部通孔に嵌着される嵌合突起が裏面に突設された縦板部前面に前記他組他方の内枠部材の外側面に弾着するＬ字状腕部が突設され、該縦板部頂部には該嵌合突起が他組他方の該外枠部材に嵌着して該押圧部材が取付られたときに該他組他方の外枠部材頂面に当接されると共に閉扉時に該他組他方の内枠部材の頂面が当接する頂板部が連接されていることを特徴とする請求項１又は請求項２記載の天井点検口。
【発明の詳細な説明】
【技術分野】
【０００１】
本発明は、天井点検口の外枠及び内枠の下縁がいずれも細く形成され、内枠と外枠との間に目透かし状の目地を現出する天井点検口に関する。
【背景技術】
【０００２】
天井点検口における外枠及び内枠の下縁の幅がいずれも細く形成され、内枠と外枠の間に目透かし状の目地を現出する天井点検口は従来から知られている（例えば、特許文献１参照。）。このような天井点検口は、通常の枠材の幅が広く現出される天井点検口と比較して、目地箇所が目立つために４辺の目地間隔が不揃いであると甚だしく美観を損ねる。そのために従来４辺の目地間隔を等しくするために、即ち外枠に対する内枠の位置決めを正確にするために、外枠及び内枠の断面形状を複雑化したり、数種類の付属品を取付けたりしてこの課題を解決してきたが、断面形状の複雑化や部品点数の増加は製造上の問題点を生じたり、コストを上昇させる欠点があった。
【０００３】
【特許文献１】特許第３２７７００５号公報
【発明の開示】
【発明が解決しようとする課題】
【０００４】
本発明が解決しようとする課題は、天井点検口の外枠及びと内枠の下縁の幅がいずれも細く形成され、内枠と外枠の間に目透かし状の目地を現出する天井点検口において、目地間隙を正確に保持するために構造が簡単で製造が容易な位置決め手段を備えた天井点検口を提供することにある。
【課題を解決するための手段】
【０００５】
前記課題を解決するために、本発明の天井点検口では、４本の外枠部材を方形状に枠組みした外枠内に、４本の内枠部材を方形状に枠組した内枠が閉扉時に周囲に所定の目地間隙を空けて配置される天井点検口において、対向する一組の該外枠部材からそれぞれ内方に突設した回転軸が対向する一組の該内枠部材それぞれの側面に穿孔した長さ方向に延びる各溝孔に遊嵌され、該外枠及び該内枠の下縁がいずれも細く形成される天井点検口において、該回転軸が突設した該対向する一組の外枠部材それぞれの内側面には、閉扉時に該対向する一組の内枠部材それぞれの外側面に当接する球面状突起が突設されることにより、閉扉時に該対向する一組の外枠部材と該対向する一組の内枠部材とに所定の目地間隙が空けられると共に、対向する他組の該外枠部材において該回転軸に近い他組一方の該外枠部材が、閉扉時に対向する他組の該内枠部材における他組一方の該内枠部材に対して所定の目地間隙を空ける位置となったときに、それぞれの該回転軸がそれぞれの該溝孔の内側端部に当接するように相互の位置が設定され、また該対向する他組の外枠部材において該回転軸から離れた他組他方の該外枠部材には、対向する他組他方の該内枠部材の外側面に対して閉扉時に押圧する押圧部材が取着され、該押圧部材の押圧によって該他組他方の外枠部材と該他組他方の内枠部材に対して所定の目地間隙が空けられるようにされている。
【発明の効果】
【０００６】
本発明によれば、目透かし状の目地を現出する天井点検口において、比較的簡単な構造を有する廉価な位置決め手段を備えることによって、天井点検口周囲の目地をすべて所定の間隔に保持することが可能であり、天井点検口付近の見切を優美に仕上げることが出来る。また所定の目地間隙が保持できることは、天井点検口の開閉操作の際に、外枠と内枠との不用意な接触による部材の破損を防止する効果も有する。
【発明を実施するための最良の形態】
【０００７】
本発明に係る天井点検口は、４本の外枠部材を方形状に枠組みした外枠内に、４本の内枠部材を方形状に枠組した内枠が閉扉時に周囲に所定の目地間隙を空けて配置される天井点検口において、対向する一組の該外枠部材からそれぞれ内方に突設した回転軸が対向する一組の該内枠部材それぞれの側面に穿孔した長さ方向に延びる各溝孔に遊嵌され、該外枠及び該内枠の下縁がいずれも細く形成される天井点検口において、該回転軸が突設した該対向する一組の外枠部材それぞれの内側面には、閉扉時に該対向する一組の内枠部材それぞれの外側面に当接する球面状突起が突設されることにより、閉扉時に該対向する一組の外枠部材と該対向する一組の内枠部材とに所定の目地間隙が空けられると共に、対向する他組の該外枠部材において該回転軸に近い他組一方の該外枠部材が、閉扉時に対向する他組の該内枠部材における他組一方の該内枠部材に対して所定の目地間隙を空ける位置となったときに、それぞれの該回転軸がそれぞれの該溝孔の内側端部に当接するように相互の位置が設定され、また該対向する他組の外枠部材において該回転軸から離れた他組他方の該外枠部材には、対向する他組他方の該内枠部材の外側面に対して閉扉時に押圧する押圧部材が取着され、該押圧部材の押圧によって該他組他方の外枠部材と該他組他方の内枠部材に対して所定の目地間隙が空けられることを特徴とする。
【０００８】
また前記天井点検口において、前記外枠部材及び前記内枠部材それぞれの縦断面下方にはそれぞれ厚さの薄い外枠部材側板部及び厚さの薄い内枠部材側板部を有し、該内枠部材側板部に当接される前記球面状突起は該外枠部材側板部に絞り加工で突設されことを特徴とする。
【０００９】
更に天井点検口の前記押圧部材は、前記他組他方の外枠部材の縦断面上方の側壁部通孔に嵌着される嵌合突起が裏面に突設された縦板部前面に前記他組他方の内枠部材の外側面に弾着するＬ字状腕部が突設され、該縦板部頂部には該嵌合突起が他組他方の該外枠部材に嵌着して該押圧部材が取付られたときに該他組他方の外枠部材頂面に当接されると共に閉扉時に該他組他方の内枠部材の頂面が当接する頂板部が連接されていることを特徴とする。
【実施例】
【００１０】
本発明の実施例について添付図面を参照して説明する。
図１及び図２には本発明にかかる天井点検口が示されている。天井支持部材１に懸架された吊り金具２には、４本の外枠部材３を方形に枠組した天井点検口の外枠４が取付けられている。外枠４内には同様に４本の内枠部材５を枠組した内枠６が嵌合されている。外枠部材３及び内枠部材５の断面を見ると、それらの下方にはそれぞれ薄い外枠部材側板部９および薄い内枠部材側板部１０が形成されていて、外枠部材側板部９には天井材１１が当接して張設され、また内枠部材側板部１０には内枠天井材１２が当接して張設されている。天井点検口の閉扉時に各外枠部材３の外枠部材側板部９は各内枠部材５の内枠部材側板部１０に接近して目透かし状の目地１３を現出するようにされており、これらの目地１３の間隔はすべて等しくされることが希望される。そして天井点検口の平面、縦横の断面を示した図３乃至図５を参照すると明らかなように、対向する一組の外枠部材３ａ，３ｃからそれぞれ内方に突設した回転軸７が対向する一組の内枠部材５ａ，５ｃそれぞれの側面に穿孔した長さ方向に延びる各溝孔８，８に遊嵌され、外枠４内に内枠６が開閉自在に支持されている。
【００１１】
本発明では、前記したように目地１３の間隔を正確に保持させるための手段を有する。即ち回転軸７が突設した対向する一組の外枠部材３ａ，３ｃのそれぞれの内側面には、図１、図３，図４で明らかなように、対向する一組の内枠部材５ａ，５ｃそれぞれの外側面に当接する球面状突起１４，１４が突設されている。各球面状突起１４は実施例では一組の外枠部材３ａ，３ｃそれぞれの外枠部材側板部９，９に絞り加工によって形成され、閉扉時に球面状突起１４は一組の内枠部材５ａ，５ｃのそれぞれの内枠部材側板部１０に当接されるようにされている。各外枠部材３及び各内枠部材５を所定の長さに正確に切断すると共に正確に枠組されている場合には、各球面状突起１４の当接によって一組の外枠部材３ａ，３ｃと一組の内枠部材５ａ，５ｃとの目地１３，１３における間隙は正確に保持される。
【００１２】
次に一組の外枠部材３ａ，３ｃ及び一組の内枠部材５ａ，５ｃと垂直な位置にある対向する他組の外枠部材３ｂ，３ｄ及び対向する他組の内枠部材５ｂ，５ｄにおいては、回転軸７に近い位置の他組一方の外枠部材３ｂが、閉扉時に対向する他組一方の内枠部材５ｂに対して目地１３を所定間隙に空ける位置となったときに、各回転軸７が各溝孔８の各内側端部１５に当接するように相互の位置が設定され、また対向する他組の外枠部材３ｂ，３ｄにおいて回転軸７から離れた位置の他組他方の外枠部材３ｄには、閉扉時に対向する他組他方の内枠部材５ｄの外側面に対して押圧する押圧部材１６が取着されており、閉扉時に押圧部材１６によって他組他方の内枠部材５ｄを押圧すると各回転軸７が各溝孔８の各内側端部１５に当接して、回転軸７に近い位置の他組一方の外枠部材３ｂが、対向する他組一方の内枠部材５ｂに対して目地１３を所定間隙に空けたときに、回転軸７から離れた位置の他組他方の外枠部材３ｄと他組他方の内枠部材５ｄとの目地１３も所定間隔に空けられるようにされている。
【００１３】
前記押圧部材１６の具体例が図６及び図７に示される。押圧部材１６は弾力性を有する合成樹脂で製造され、他組他方の外枠部材３ｄの側壁部上方に設けられた通孔（図示されていない。）の嵌着される嵌合突起１７が裏面に突設された縦板部１８前面に他組他方の内枠部材５ｄの外側面に弾着する一組のＬ字状腕部１９が突設され、縦板部１８頂部には嵌合突起１７が他組他方の外枠部材３ｄに嵌着して押圧部材１６が取付られたときに他組他方の外枠部材３ｄ頂面に当接されると共に閉扉時に他組他方の内枠部材５ｄの頂面が当接する頂板部２０が連接されて一体的に成型されたものである。したがって閉扉時に押圧部材１６によって他組他方の内枠部材５ｄを押圧するとともに、閉扉操作中に内枠６の天井点検口内への入り込みを防止する。
【００１４】
本発明によれば、目透かし状の目地を現出する天井点検口において、比較的簡単な構造を有する廉価な位置決め手段を備えることによって、天井点検口周囲の目地をすべて所定の間隔に保持することが可能であり、天井点検口付近の見切を優美に仕上げることが出来る。また所定の目地間隙が保持できることは、天井点検口の開閉操作の際に、外枠と内枠との不用意な接触による部材の破損を防止することもできる。
【図面の簡単な説明】
【００１５】
【図１】本発明にかかる天井点検口を示す部分斜視図である。
【図２】同様に天井点検口の縦断面図である。
【図３】天井点検口の平面図である。
【図４】図３のＡ−Ａ断面図である。
【図５】図３のＢ−Ｂ断面図である。
【図６】押圧部材の斜視図である。
【図７】他の視点から見た押圧部材の斜視図である。
【符号の説明】
【００１６】
３  外枠部材
３ａ，３ｃ  一組の外枠部材
３ｂ，３ｄ  他組の外枠部材
３ｂ  他組一方の外枠部材
３ｄ  他組他方の外枠部材
４  外枠
５  内枠部材
５ａ，５ｃ  一組の内枠部材
５ｂ，５ｄ  他組の内枠部材
５ｂ  他組一方の内枠部材
５ｄ  他組他方の内枠部材
６  内枠
７  回転軸
８  溝孔
９  外枠部材側板部
１０  内枠部材側板部
１３  目地
１４  球面状突起
１５  内側端部
１６  押圧部材
１７  嵌合突起
１８  縦板部
１９  Ｌ字状腕部
２０  頂板部
【図１】
2007120234.tif 000003
【図２】
2007120234.tif 000004
【図３】
2007120234.tif 000005
【図４】
2007120234.tif 000006
【図５】
2007120234.tif 000007
【図６】
2007120234.tif 000008
【図７】
2007120234.tif 000009